(57)【要約】【課題】ＣＩロゴ・マークなどの特定色をユーザが指定する所望色に正しく色置換することが可能な画像形成装置および画像形成プログラムを提供すること【解決手段】本実施形態の画像形成装置は、１つ以上のカラーパッチ印刷位置を登録するカラーパッチ位置登録部と、前記カラーパッチ印刷位置内の画素に対して特定色を登録する特定色登録部と、前記特定色および前記特定色の近傍色で構成されるカラーパッチを生成するカラーパッチ生成部と、前記カラーパッチを前記カラーパッチ印刷位置に印刷するカラーパッチ印刷部と、前記カラーパッチ印刷位置に印刷されたカラーパッチから選択される所望色を登録する所望色登録部と、前記所望色に対する色置換テーブルを生成する色置換テーブル生成部と、前記色置換テーブルに基づいて、前記カラーパッチ印刷位置内の前記特定色を所望色に置換して印刷する色置換部と、を有する。【選択図】図４
2013201539.tif 000002
【特許請求の範囲】
【請求項１】
１つ以上のカラーパッチ印刷位置を登録するカラーパッチ位置登録部と、
前記カラーパッチ印刷位置内の画素に対して特定色を登録する特定色登録部と、
前記特定色および前記特定色の近傍色で構成されるカラーパッチを生成するカラーパッチ生成部と、
前記カラーパッチを前記カラーパッチ印刷位置に印刷するカラーパッチ印刷部と、
前記カラーパッチ印刷位置に印刷されたカラーパッチから選択される所望色を登録する所望色登録部と、
前記所望色に対する色置換テーブルを生成する色置換テーブル生成部と、
前記色置換テーブルに基づいて、前記カラーパッチ印刷位置内の前記特定色を所望色に置換して印刷する色置換部と、
を有する画像形成装置。
【請求項２】
前記カラーパッチ印刷位置の１つに、複数の特定色が登録される場合には、特定色ごとにページを替えて前記カラーパッチを印刷する請求項１記載の画像形成装置。
【請求項３】
前記カラーパッチ印刷位置の１つに、複数の特定色が登録される場合には、特定色ごとに前記カラーパッチの大きさ、配置を調整して同一ページに印刷する請求項１記載の画像形成装置。
【請求項４】
カラー文書内に配置される１つ以上のカラーパッチ印刷位置、
前記カラーパッチ印刷位置内の画素に対して指定される特定色、
前記特定色および前記特定色の近傍色で構成されるカラーパッチ、
および、前記カラーパッチから選択される所望色、
を示す情報を受信する通信ＩＦと、
前記カラーパッチ印刷位置にカラーパッチを印刷するカラーパッチ印刷部と、
前記所望色に対する色置換テーブルを生成する色置換テーブル生成部と、
前記色置換テーブルに基づいて、前記カラーパッチ印刷位置内の前記特定色を所望色に置換して印刷する色置換部と、
を有する画像形成装置。
【請求項５】
コンピュータに、
１つ以上のカラーパッチ印刷位置を登録するステップと、
前記カラーパッチ印刷位置内の画素に対して特定色を登録するステップと、
前記特定色および前記特定色の近傍色で構成されるカラーパッチを生成ステップと、
前記カラーパッチを前記カラーパッチ印刷位置に印刷させるステップと、
前記カラーパッチ位置に印刷されたカラーパッチから選択される所望色を登録するステップと、
前記所望色に対する色置換テーブルを生成するステップと、
前記色置換テーブルに基づいて、前記カラーパッチ印刷位置内の前記特定色を所望色に置換して印刷させるステップと、
を実行させるプログラム有する画像形成プログラム。
【発明の詳細な説明】
【技術分野】
【０００１】
本発明の実施形態は、カラー画像の印刷において、印刷データ内の特定色の色再現を正確に行える画像形成装置および画像形成プログラムに関する。
【背景技術】
【０００２】
カラー画像データおよびデジタルカラー文書の印刷において、コーポレートアイデンティティ（ＣＩ）ロゴ・マークの色再現を適正化したいという要請がある。この要請に応えるため、従来から、画像内の特定の色を所望の色に置換するピンポイント色置換機能が提供されている。
【０００３】
このピンポイント色置換機能として、指定された特定色とその近傍の属性(明度、彩度、色相)が異なる複数のカラーパッチをあらかじめ印刷しておき、ユーザが複数のカラーパッチから所望の色を選択する。ぞして、カラー文書中の特定色を所望色に置き換えてカラー印刷するものがある。（例えば、特許文献１参照）。
【０００４】
しかし、このピンポイント色置換機能は、ユーザが単に印刷された複数パッチから所望の色を選択するものあって、画像形成装置の面内の印刷特性に起因する色むらは全く考慮されていない。このため、ユーザが所望色を指定しても印刷する位置によっては、ＣＩロゴ・マークなどの特定色を所望色で印刷できない問題があった。
【先行技術文献】
【特許文献】
【０００５】
【特許文献１】特開２０１０−９８４５５号公報
【発明の概要】
【発明が解決しようとする課題】
【０００６】
本発明が解決しようとする課題は、上記問題を解決し、特定色をユーザが指定する所望色に正しく色置換することが可能な画像形成装置および画像形成プログラムを提供することである。
【課題を解決するための手段】
【０００７】
上記課題を達成するために、本実施形態の画像形成装置は、１つ以上のカラーパッチ印刷位置を登録するカラーパッチ位置登録部と、前記カラーパッチ印刷位置内の画素に対して特定色を登録する特定色登録部と、前記特定色および前記特定色の近傍色で構成されるカラーパッチを生成するカラーパッチ生成部と、前記カラーパッチを前記カラーパッチ印刷位置に印刷するカラーパッチ印刷部と、前記カラーパッチ印刷位置に印刷されたカラーパッチから選択される所望色を登録する所望色登録部と、前記所望色に対する色置換テーブルを生成する色置換テーブル生成部と、前記色置換テーブルに基づいて、前記カラーパッチ印刷位置内の前記特定色を所望色に置換して印刷する色置換部と、を有する。
【図面の簡単な説明】
【０００８】
【図１】第１の実施形態における画像形成装置の全体図。
【図２】同実施形態における画像形成装置のハードウエア機能構成図。
【図３】同実施形態の画像形成プログラムを端末装置から実行する場合の構成図。
【図４】同実施形態における色置換処理のソフトウエア機能構成図。
【図５】同実施形態における色置換部のブロック構成図。
【図６】同実施形態におけるノーマル色変換テーブル図。
【図７】同実施形態における補間演算の説明図。
【図８】同実施形態におけるノーマル色に対する色置換処理のフローチャート。
【図９】同実施形態における色置換処理のフローチャート。
【図１０】同実施形態における特定色指定・登録ユーザインタフェース画面例。
【図１１】同実施形態におけるカラーパッチ印刷位置の指定・登録ユーザインタフェース画面例。
【図１２】同実施形態におけるカラーパッチの例。
【図１３】同実施形態における特定色置換テーブル図。（ａ）はＲＧＢ指定の場合、（ｂ）および（ｃ）は色見本カラーを指定した場合の特定色置換テーブルである。
【図１４】同実施形態におけるカラーパッチ印刷の例。
【図１５】同実施形態におけるカラーパッチ所望色指定・登録ユーザインタフェース画面例。
【発明を実施するための形態】
【０００９】
以下、実施形態について図１から図１５を参照しながら詳細に説明する。本実施形態の画像形成装置は、カラープリンタなどの画像形成装置の他に、高解像度でカラー印刷を行うカラー複写機などが含まれる。さらには原紙をスキャンして複写する機能、外部機器との通信を行う機能、ファクシミリ装置としての送受信及び印刷する機能など多彩な処理を行うことができる複合機器（ＭＦＰ）なども含まれる。また、画像形成の方法はインクジェット方式、電子写真方式など特定の方式に限定されない。
【００１０】
図１に示す本実施形態の画像形成装置１は大きく分けて、原稿を読み取るスキャナ部１１、画像データに対して画像処理を施す画像処理部１２、用紙（以下用紙と称する）にプリントして出力するプリンタ部１３、および画像形成装置１を統合して制御する主制御部１４を有している。
【００１１】
また、主制御部１４は、フラッシュメモリ、ＵＳＢメモリなどの外部記憶装置から印刷データを読み出す入出力ＩＦ１５、ネットワークまたは直接接続されたＰＣ（Personal Computer）から印刷データを受信する通信ＩＦ１６、および各種設定値の入力や印刷ステータスなどを表示するユーザＩＦ１７を制御する。
【００１２】
このユーザＩＦ１７は、例えば、画像形成装置１に配置されたコントロールパネルなどであるが、無線接続されるリモートコントロールなどであっても良いし、通信ＩＦ１６を介してネットワーク接続されたＰＣなどから設定するものでも良い。
【００１３】
スキャナ部１１は、原稿を自動的に供給する自動供給装置１１０と、原稿を読み取る原稿台１１１と、原稿を照明する光源１１２、原稿の反射光を導くミラー１１３ａ、１１３ｂ、１１３ｃ、反射光を集光するレンズ１１４、およびラインセンサ部１１５を有する。矢印で示すように、スキャナ部１１の原稿台１１１より読取られる原稿パターンは、光源１１２により照射され、この反射光がミラー１１３ａ、１１３ｂ、１１３ｃからレンズ１１４を介してラインセンサ部１１５に入射する。ラインセンサ部１１５では、これをカラー別に配置されたラインセンサによって光電変換し画像信号を出力する。
【００１４】
画像処理部１２では、外部記憶装置、ＰＣ、およびスキャナ部１１から入力された印刷データに画像処理などのディジタル処理を施し、プリンタ部１３へ出力する。
【００１５】
プリンタ部１３は、給紙カセット１３１、ドラム１３２および搬送ローラ１３３、排紙口１３４などを有し、画像処理部１２でから出力される信号に基づき、給紙カセット１３１内の用紙に印刷処理を行い、排紙口１３４から排紙する。
【００１６】
図２は、画像形成装置１のハードウエア機能構成図である。主制御部１４を構成するＣＰＵ（ＣＰＵ：Central Processing Unit）などのプロセッサ２１と記憶部２２、画像処理部１２、ユーザＩＦ１７、入出力ＩＦ１５、通信ＩＦ１６、スキャナ部１１、およびプリンタ部１３は内部バス１８によってお互いに接続されている。主制御部１４は内部バス１８のデータ・アドレス制御信号によって各部を制御する。また、画像処理部１２は、主として画像処理ＡＳＩＣを用いて行われる。また、プロセッサ２１は、記憶部２２を構成する内部メモリ、およびＨＤＤなどの不揮発性メモリに格納されたプログラムに基づいて所定の処理を実行し、画像形成装置１の動作を制御する。
【００１７】
本実施形態の色置換処理は、主制御部１４、および画像処理部１２の連携によって処理される。具体的には図２に示すハードウエアと記憶部２２にインストールされるソフトウエア(画像形成プログラム)によってその機能が達成される。
【００１８】
図３は、画像形成プログラムを端末装置から実行する場合の構成図である。画像形成装置１は、例えばＰＣを端末とする端末装置２とネットワーク３により接続されている。本実施形態の色置換処理は、画像形成プログラムにより制御可能であるから、画像形成装置１はもとより、画像形成プログラムがインストールされた端末装置２からも制御可能である。
【００１９】
図４は、色置換処理のソフトウエア機能構成図である。この色置換処理は主制御部１４、および画像処理部１２の連携によって処理されるが、その一部は端末装置２によっても処理されてもよい。具体的には画像形成装置１および端末装置２のプロセッサ、内部メモリ、グラフィックチップなどのコンピュータハードウエア、および各装置へインストールされる画像形成プログラムによって、本実施形態のソフトウエア機能が達成される。
【００２０】
図４に示すように、本実施形態の色置換処理は、特定色登録部４１、色置換テーブル保存部４２、カラーパッチ生成部４３、カラーパッチ位置登録部４４、カラーパッチ印刷部４５、所望色登録部４６、色置換テーブル生成部４７、および色置換部４８で構成されている。各ソフトウエア機能部は以下の動作を行う。
【００２１】
特定色登録部４１は、ユーザから指定される色置換の対象色（以下特定色と称する）の情報を受け付け、指定された特定色を登録保持し、色置換テーブル保存部４２に供給する。特定色の登録は、後述のカラーパッチ印刷位置ごとに、複数の特定色が登録可能である。
【００２２】
色置換テーブル保存部４２は、入力されるＲＧＢ値に対して、印刷時に使用するＹＭＣＫ値の変換テーブルを有している。また、色見本カラー指定番号に対するＹＭＣＫ値を変換するテーブルも必要に応じて有している。
【００２３】
カラーパッチ生成部４３は指定された特定色を中心色とし、特定色とその近辺の属性(明度、彩度、色相)が異なる複数のカラーパッチデータを生成する。
【００２４】
カラーパッチ位置登録部４４は、ユーザから指定されるカラーパッチ印刷位置の情報を受け付け、指定されたカラーパッチ印刷位置を登録保持する。
【００２５】
カラーパッチ印刷部４５は、ユーザから指定されたカラーパッチ印刷位置にカラーパッチデータを印刷する命令をプリンタ部１３へ出力する。
【００２６】
所望色登録部４６は、印刷されたカラーパッチの中からユーザが指定する所望色のカラーパッチ番号を登録保持する。
【００２７】
色置換テーブル生成部４７は、所望色のカラーパッチ番号に対応する色置換テーブルを生成する。
【００２８】
色置換部４８は、カラーパッチ印刷位置内に存在する特定色が所望色になるように色置換を行う。ＲＧＢ印刷データをＹＭＣＫ値に色置換してプリンタ部１３へ出力する。
【００２９】
図５は、色置換部４８の色置換部のブロック構成図である。色置換部４８は、特定色判定部５１、ノーマル色変換部５２、および所望色置換部５３を有する。
【００３０】
特定色判定部５１は入力された画像データのＲＧＢ値が、ユーザから指定された特定色であるかどうかの判断を行う。そして、入力されたＲＧＢ値が特定色の場合は、所望色置換部５３へ処理を引き継ぐ。また、入力されたＲＧＢ値が特定色でない場合は、ノーマル色変換部５２へ処理を引き継ぎ、ＹＭＣＫ値を出力する。
【００３１】
図６は、ノーマル色変換部５２が使用するノーマル色変換テーブルを示し、図７は、補間演算の説明図である。
【００３２】
ノーマル色変換部５２は、図６に示すノーマル色変換テーブルを使用する。このノーマル色変換テーブルは、あらかじめ作成されたアドレスをＲＧＢ値、テーブル値をＣＭＹＫ値とした３次元のＬＵＴ(ルックアップテーブル)であり、色置換テーブル保存部４２に保存される。
【００３３】
このノーマル色変換テーブルは、画像形成装置１の色特性を基に、入力ＲＧＢ値の色を適切に再現するためのＣＭＹＫ値を算出し納めてある。但し、入力ＲＧＢ値のすべての組み合わせをテーブル化することは、テーブルサイズが莫大になることから、離散的ＲＧＢ値の組み合わせをテーブル化している。
【００３４】
すなわち、図７のようにＲ軸、Ｇ軸、Ｂ軸を３軸とする３次元ＬＵＴの格子点（黒丸）についてテーブル化されている。図６、図７の例では、Ｒ、Ｇ、Ｂ値をそれぞれ０〜１００％を１０％区切りとして格子点を形成しており、この格子点に対して１３３１個のＹＭＣＫ値が設定されている。
【００３５】
このため、ノーマル色変換テーブルに格納されていないＲＧＢ値の組み合わせの色が入力された場合、ノーマル色変換テーブルに格納されているＲＧＢ値の組み合わせのテーブル値を補間演算し、ＣＭＹＫ値を算出する。
【００３６】
図８は、ノーマル色に対する色置換のフローチャートを示している。このフローチャートを用いて、補間演算について説明する。
【００３７】
ステップＳＴ８０１では、入力されたＲＧＢ値が図７の点線矢印で示す単位格子内のＸ点の位置に相当する場合、ステップＳＴ８０２では、このＸ点の周囲８か所の格子点（Ａ、Ｂ、Ｃ、Ｄ、Ｅ、Ｆ、Ｇ、Ｈ）を抽出し、ステップＳＴ８０３では、この８か所の格子点のテーブル値を図６より抽出する。ステップＳＴ８０４では、それらを補間演算することで、ＣＭＹＫ値を生成する。補間演算については、例えば、Ｘ点と８か所の格子点の距離に応じて重み付けを行い補間を行う。
【００３８】
所望色置換部５３は、所望色に対する色置換テーブルを参照して色置換を行い、ＹＭＣＫ値を出力する。なお、ユーザが複数の特定色を指定する場合は、それぞれに対する色置換テーブルを参照して色変換を行う。
【００３９】
以上の構成による画像形成装置１の色置換処理について図９のフローチャートに従って説明する。
【００４０】
まず、ステップＳＴ９０１の「複数のカラーパッチ印刷位置指定・登録」では、ユーザは、色調整したい特定色がある位置を指定する。例えば、図１０に示す「特定色指定・登録」のユーザインタフェース画面１０１の、「カラーパッチ印刷位置、スポイト指定」の「プレビュー表示」ボタン１０２を押下すると、図１１に示す「カラーパッチ印刷位置  指定・登録」のユーザインタフェース画面１２１が表示される。
【００４１】
ユーザインタフェース画面１２１には印刷データのプレビュー画面が表示され、例えば、Ａ４印刷ページ上のどの位置にカラーパッチを印刷するか示す印刷位置指定枠を設定できる。図１１の例では、２つのＣＩロゴ・マーク１２２ａ（ＴＥＣ）、１２２ｂ（ＴＯＳＨＩＢＡ）が表示されている。ここで「印刷位置指定」ボタン１２３を押下すると、マウスなどを使用して1つ以上の印刷位置指定枠１２４（ここでは１２４ａ、１２４ｂ）が設定できる。この印刷位置指定枠１２４ａ、１２４ｂは、Ａ４ページ内のどの位置にも移動が可能で、印刷位置指定枠の大きさも変更が可能である。なお、この印刷位置指定枠１２４ａ、１２４ｂは、通常はドキュメントのテンプレートのＣＩロゴ・マークと略同じ位置、大きさとなるように指定することが色再現性の観点から好ましい。
【００４２】
ここでカラーパッチの例を図１２に示す。図１２（ａ）は、指定した特定色を示すカラーパッチＡを中心に、周囲に８つのカラーパッチが配置されている。この周囲に位置するカラーパッチは、カラーパッチＡの色近傍でかつ明度、彩度、色相が異なるカラーパッチデータとする。なお、このとき、周囲に位置するカラーパッチそれぞれに対するＣＭＹＫ値を保持しておく。
【００４３】
図１２（ｂ）は、指定した特定色を示すカラーパッチＡ中心に、左右に４つのカラーパッチが配置されている例である。これらはカラーパッチのパターン例示であり、カラーパッチ数や配置など種々考えられる。また、印刷位置指定枠１２４の大きさなどに応じて、カラーパッチのパターンのパッチ数、配置、形状、および大きさなどが自動または手動で変更可能である。これは、「カラーパッチパターン」ボタン１２５を押下することで行える。
【００４４】
続いてステップＳＴ９０２の「特定色の指定・登録」では、ユーザは、色調整したい特定色を指定するために、「スポイト表示」ボタン１２６を押下すると、スポイトアイコンが現れる。ユーザはこのスポイトアイコンを用いてＣＩロゴ・マーク１２２ａ、１２２ｂの所望の位置の位置情報を指定すると、位置情報とＲＧＢ画素値が取得される。
【００４５】
カラーパッチＡの中心色は、図１０に示すユーザインタフェース画面１０１の「カラーパッチ中心色」にて設定が可能である。ここでは、「Ｒ、Ｇ、Ｂ色指定」、「Ｃ、Ｍ、Ｙ、Ｋ色指定」「色見本カラー指定」などが配置される。
【００４６】
「Ｒ、Ｇ、Ｂ色指定」は、スポイトアイコンで指定した画素のＲＧＢ値が表示される。このＲＧＢ値を基にカラーパッチＡの中心色のＹＭＣＫ値を図１３（ａ）に基づく特定色置換テーブルにて決定する。また、スポイトアイコンを使用しない場合は、「スポイト読取値使用」のチェックを外し、直接Ｒ、Ｇ、Ｂ値をそれぞれキーボードから数値で入力しても良い。
【００４７】
また、ＲＧＢ値に対応する特定色変換テーブルが、図１３（ａ）に示す特定色置換テーブル内に存在しない場合は、このＲＧＢ値を基にカラーパッチＡの中心色のＹＭＣＫ値をノーマル色変換部５２による変換結果にて決定する。
【００４８】
「Ｃ、Ｍ、Ｙ、Ｋ色指定」は、カラーパッチＡの中心色が予め判明している場合に直接入力する。この場合は、スポイトで読み取ったＲＧＢ値が、このカラーパッチＡの中心色ＹＭＣＫ値に変換される。
【００４９】
「色見本カラー指定」は、あらかじめＣＩロゴ・マークなどで使用する色が色見本カラーなどで指定されている場合などに使用する。この場合は、スポイトで読み取ったＲＧＢ値が、色見本の指定番号に対応するＹＭＣＫ値に変換され、カラーパッチＡの中心色となる。
【００５０】
ＰＡＮＴＯＮＥ（ＰＡＮＴＯＮＥ社）のカラー番号を指定することで、図１３（ｂ）の特定色置換テーブルが引用される。また、ＤＩＣカラー（旧 大日本インキ化学工業）のカラー番号を指定することで、図１３（ｃ）の特定色置換テーブルが引用される。さらには、独自のコーポレートカラーを登録し、これを選択できるようにしてもよい。このようにしておけば、よく使用するＣＩカラーに対しての設定が簡略化される。
【００５１】
ステップＳＴ９０３の「複数カラーパッチデータの生成」では、指定された特定色と明度、彩度、色相などが異なる近傍の属性を有する、図１２に示したようなカラーパッチデータを生成する。なお、「色見本カラー指定」をした時には、色見本カラー番号が隣接するカラーパッチを生成してもよい。
【００５２】
ステップＳＴ９０４の「カラーパッチ印刷位置にカラーパッチ印刷」では、ユーザインタフェース画面１２１の「カラーパッチ印刷」ボタン１２７を押下する。すると、図１４に示すカラーパッチが、画像形成装置１で印刷される。この例では、印刷位置指定枠１２４ａ、１２４ｂと、スポイトで指定した画素位置を中心とするカラーパッチ１４１ａ、１４１ｂが印刷されている。なお、スポイトで指定していない場合は、印刷位置指定枠１２４の中心または指定した位置にカラーパッチ１４１が印刷される。
【００５３】
ステップＳＴ９０５の「所望色の指定・登録」では、ユーザは、印刷したカラーパッチから所望する色を選択する。ＣＩロゴ・マークを例にすると、ＣＩロゴ・マークで決められた特定色と同じ色となるカラーパッチ番号を決定する。カラーパッチ１４１ｂの場合では、Ａまたは１〜８のいずれかのカラーパッチ番号を選択する。
【００５４】
カラーパッチ番号の選択は、図１４に示す「カラーパッチ所望色指定・登録画面」のユーザインタフェース画面１５１から指定することができる。ユーザは、カラーパッチ印刷位置１（印刷位置指定枠１２４ａ）では、カラーパッチ番号２を選択し、カラーパッチ印刷位置２（印刷位置指定枠１２４ｂ）では、カラーパッチ番号Ａを選択した例である。
【００５５】
ステップＳＴ９０６の「色置換テーブルの作成」では、ステップＳＴ９０１で指定・登録された特定色のＲＧＢ値とステップＳＴ９０５で選択したカラーパッチ番号から得られるＣＭＹＫ値により、所望色置換テーブルを生成する。
【００５６】
ステップＳＴ９０７の「色置換処理」では、この所望色置換テーブルより、印刷位置指定枠１２４内に存在する画素のＲＧＢ値が、特定色であるかどうかを判断する。特定色であれば、カラーパッチ番号から得られるＣＭＹＫ値に変換して出力する動作を行う。これは、特定色判定部５１で行われる動作である。
【００５７】
なお、前記カラーパッチ印刷位置の１つに、複数の特定色が登録される場合には、特定色に対応するカラーパッチがほぼ同一の場所に印刷されてしまうため、特定色ごとにページを替えて前記カラーパッチを印刷してもよい。また、特定色ごとにカラーパッチの大きさ、パターン、配置位置を調整して同一ページに印刷するようにしてもよい。
【００５８】
特に、主走査方向（用紙搬送方向に垂直）に色むらが発生するような構造の画像形成装置の場合には、副走査方向（用紙搬送方向）に位置を変えて特定色ごとのカラーパッチを印刷してもよい。
【００５９】
なお、図１０、図１１、図１４および図１５で示したユーザインタフェース画面は、画像形成装置１のユーザＩＦ１７で設定できるとともに、端末装置２のユーザインタフェース画面でこれらの情報を設定することができる。設定した情報を端末装置２から送信し、画像形成装置１の通信ＩＦ１６で受信することで色置換処理を行ってもよい。
【００６０】
以上述べたように、実施形態の画像形成装置および画像処理プログラムによれば、複数のカラーパッチを印刷する位置を指定し、その位置における所望色が正確に得られるＣＭＹＫ値で印刷することができる。このため、画像形成装置の印刷特性に起因する面内の色むらが生じても、印刷ページ内のどこにおいても正しい所望色を得ることができる。
【００６１】
また、本発明の実施形態では装置内部に発明を実施する画像処理機能があらかじめ主制御部にプログラムとして記録されている場合で説明をしたが、これに限らずネットワーク接続されたＰＣから画像形成装置に対して本実施形態の色置換処理を行うことが可能である。また、同様の機能をネットワークから本画像処置装置にダウンロードしても良い。また、同様の機能を記録媒体に記録させたものをＰＣまたは画像形成装置にインストールしてもよい。
【００６２】
記録媒体としては、ＣＤ−ＲＯＭ等のプログラムを記録でき、かつ装置が読み取り可能な記録媒体であれば、その形態は何れの形態であっても良い。また、このようにあらかじめインストールやダウンロードにより得る機能は装置内部のＯＳ（オペレーティング・システム）等と協働してその機能を実現させるものであってもよい。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１…画像形成装置、
４１…特定色登録部、
４２…色置換テーブル保存部、
４３…カラーパッチ生成部、
４４…カラーパッチ位置登録部、
４５…カラーパッチ印刷部、
４６…所望色登録部、
４７…色置換テーブル生成部、
４８…色置換部。
【図１】
2013201539.tif 000003
【図２】
2013201539.tif 000004
【図３】
2013201539.tif 000005
【図４】
2013201539.tif 000006
【図５】
2013201539.tif 000007
【図６】
2013201539.tif 000008
【図７】
2013201539.tif 000009
【図８】
2013201539.tif 000010
【図９】
2013201539.tif 000011
【図１０】
2013201539.tif 000012
【図１１】
2013201539.tif 000013
【図１２】
2013201539.tif 000014
【図１３】
2013201539.tif 000015
【図１４】
2013201539.tif 000016
【図１５】
2013201539.tif 000017